(57)【要約】【課題】従来の伝送回路において、差動モードと共通モードに対して終端させる場合、共通モードに対しては３本目の伝送線を使って終端していた。したがって伝送線は３本以上必要となり省配線化に問題があった。本発明の伝送回路は、伝送線の本数を削減させ、共通モードに対しても終端できる伝送回路を提供できるようにする。【解決手段】通信局と伝送ケーブルと終端回路内蔵コネクタとからなる伝送回路において、前記終端回路をコネクタシェルと第１の素子と第２の素子とから形成する。一方、前記伝送ケーブルの伝送線シールドが、前記通信局のリセプタクルと前記伝送ケーブルのコネクタシェルを介し、前記終端回路内の第２の素子に接続するように構成し、共通モードに対する終端回路を備える。  【選択図】図１
2006186530.tif 000002
【特許請求の範囲】
【請求項１】
ドライバとレシーバとパルストランスとからなる送受信回路と、該送受信回路に接続され、コネクタを接続可能な２箇所のリセプタクルを備えた複数の通信局と、
前記リセプタクルの１個所に接続される脱着可能な伝送ケーブルと、
前記リセプタクルの１個所に接続される脱着可能な終端回路内蔵コネクタと
からなる伝送回路において、
前記終端回路内蔵コネクタが、前記伝送回路の差動モードおよび共通モードの両方を終端させることを特徴とした伝送回路。
【請求項２】
前記終端回路内蔵コネクタが、第１の素子と第２の素子とコネクタシェルとから形成され、
前記第１の素子の両端は、前記リセプタクルを介して前記パルストランスの２次巻線の両端に接続され、
前記第２の素子の一端は前記コネクタシェルに接続され、他端は前記リセプタクルを介して前記パルストランスの２次巻線の中間タップに接続されることを特徴とした請求項１記載の伝送回路。
【請求項３】
前記伝送ケーブルが、２本の伝送線と伝送線シールドとコネクタシェルとから形成され、
前記２本の伝送線は前記リセプタクルを介して前記パルストランスの２次巻線の両端に接続され、
前記伝送線シールドは前記コネクタシェルに接続されることを特徴とした請求項１記載の伝送回路。
【発明の詳細な説明】
【技術分野】
【０００１】
本発明は、高信頼性が要求される通信システムに接続される終端回路に関する。
【背景技術】
【０００２】
図３は従来の通信システムの構成を示す図である。１８ａ、１８ｂ、１８ｃは複数の通信局、３７は通信局どうしを接続する伝送ケーブルを示す。ＡおよびＢは伝送ケーブル３７の両端に接続されている終端回路を示している。３７ａ、３７ｂ、３７ｃは伝送ケーブル３７の３本の伝送線を示し、伝送線のそれぞれが通信局あるいは終端回路に接続されている。この終端回路は通常、伝送ケーブル３７の両端に位置する通信局１８ａまたは１８ｃに内蔵されている。終端回路は、伝送ケーブル３７に送出された信号の反射を防止するためのものである。
図３の（ａ）は従来の終端回路Ａの内部回路図を示す。３１、３２、３３は終端回路Ａの端子、Ｒ３１およびＲ３２は抵抗を示す。端子３１と３３との間に抵抗Ｒ３１とＲ３２とが直列に接続され、抵抗Ｒ３１とＲ３２との接続点に端子３２が接続されている。（この終端回路の構成は、例えば特許文献１の第２図参照）。
図３の（ｂ）は同じく従来の終端回路Ｂの内部回路図を示す。３４、３５、３６は終端回路Ｂの端子を示し、Ｒ３４、Ｒ３５およびＲ３６は抵抗を示す。端子３４と３６との間に抵抗Ｒ３４とＲ３５とが直列に接続され、抵抗Ｒ３４とＲ３５との接続点に端子３５が接続されている。また、抵抗Ｒ３４と３５の直列回路に、抵抗Ｒ３６が並列接続されている。（この終端回路の構成は、例えば特許文献１の第３図参照）。
以上の構成により従来の通信システムでは、終端回路Ａにおいて抵抗Ｒ３１とＲ３２の直列回路の両端で差動モードを終端し、抵抗Ｒ３１とＲ３２の接続点で共通モードを終端している。また、終端回路Ｂは抵抗Ｒ３４と抵抗Ｒ３５の直列回路に抵抗Ｒ３６を並列接続した直並列回路の両端で差動モードを終端し、抵抗Ｒ３４とＲ３５の接続点で共通モードを終端している。
すなわち従来の終端回路ＡとＢは３本以上の伝送線を利用して、通信の差動モードおよび共通モードに対して終端している。
【特許文献１】第２８８６２０６号特許公報（第２図、第３図）
【発明の開示】
【発明が解決しようとする課題】
【０００３】
ところが以上のような通信システムの構成では、差動モードおよび共通モードを終端させる終端回路を形成するためには伝送線が３本必要であり、省配線化の妨げになるという問題があった。
また伝送ケーブルの両端に接続される通信局には、終端回路が実装された通信局を準備するか、あるいは予めすべての通信局に終端回路を搭載しておく必要があり、伝送ケーブルの両端に接続されない通信局には余分な回路が搭載されているという問題があった。
本発明はこのような問題点に鑑みてなされたものであり、伝送線の本数を減らしても差動モードと共通モードに対して終端させることができ、すべての通信局に終端回路の実装を必要としない伝送回路を提供することを目的とする。
【課題を解決するための手段】
【０００４】
上記問題を解決するため、本発明は、次のように構成したのである。
請求項１に記載の発明は、ドライバとレシーバとパルストランスとからなる送受信回路と、該送受信回路に接続され、コネクタを接続可能な２箇所のリセプタクルを備えた複数の通信局と、前記リセプタクルの１個所に接続される脱着可能な伝送ケーブルと、前記リセプタクルの１個所に接続される脱着可能な終端回路内蔵コネクタとからなる伝送回路において、前記終端回路内蔵コネクタが、前記伝送回路の差動モードおよび共通モードの両方を終端させる伝送回路とした。
【０００５】
請求項２に記載の発明は、前記終端回路内蔵コネクタが、第１の素子と第２の素子とコネクタシェルとから形成され、前記第１の素子の両端は、前記リセプタクルを介して前記パルストランスの２次巻線の両端に接続され、前記第２の素子の一端は前記コネクタシェルに接続され、他端は前記リセプタクルを介して前記パルストランスの２次巻線の中間タップに接続される伝送回路とした。
【０００６】
請求項３に記載の発明は、前記伝送ケーブルが２本の伝送線と伝送線シールドとコネクタシェルとから形成され、前記２本の伝送線は前記リセプタクルを介して前記パルストランスの２次巻線の両端に接続され、前記伝送線シールドは前記コネクタシェルに接続される伝送回路とした。
【発明の効果】
【０００７】
以上、本発明の伝送回路によれば、伝送回路の差動モードと共通モードの両方に対して終端することができる。
また、終端回路内蔵コネクタを通信局のリセプタクルに接続するだけで伝送回路を終端できるので、すべての通信局に終端回路を実装する必要が無くなり、通信局の信頼性向上とコストダウンが可能である。
また、伝送ケーブルのシールドを利用して終端回路を形成しているので、伝送線の本数を削減できる。
【発明を実施するための最良の形態】
【０００８】
以下、本発明の実施の形態について図を参照して説明する。
【実施例１】
【０００９】
図１は本発明における伝送回路を示した図である。まず図１の構成について説明する。図１において１は終端回路内蔵コネクタ、９は伝送ケーブル、１８は通信局を示す。終端回路内蔵コネクタ１と伝送ケーブル９は、通信局１８に接続される。
通信局１８は、１１の２個所のリセプタクルと、１２の電極（１２ａ、１２ｂ、１２ｃとからなる）と、１３の基板と、送受信回路（１４のパルストランス、１５のドライバ、１６のレシーバからなる）と、１７の通信制御回路から構成されている。２箇所のリセプタクル１１はそれぞれ基板１３を収納しており、この基板１３で、電極１２ａ、１２ｂ、１２ｃを、リセプタクル１１から絶縁している。リセプタクル１１どうしは接続されている。パルストランス１４の２次巻線の両端は、それぞれ電極１２ａ、１２ｂに接続されている。パルストランス１４の２次巻線の中間タップは、電極１２ｃに接続されている。パルストランス１４の１次巻線は、ドライバ１５とレシーバ１６の一端に接続されている。ドライバ１５とレシーバ１６の他端は、通信制御回路１７に接続されている。
終端回路内蔵コネクタ１は、６の第１の素子と、７の第２の素子と、５の電極（５ａ、５ｂ、５ｃとからなる）と、４の基板と、３のコネクタシェルと、２の上ケースと、８の下ケースとから構成されている。第１の素子６の両端は電極５ａと５ｂとに接続され、基板４に搭載されている。第２の素子７は一端が電極５ｃに接続され基板４に搭載されている。一方、第２の素子７の他端はコネクタシェル３に接続されている。第１の素子６および第２の素子７は、抵抗、コンデンサ素子、インダクタ素子など適当なインピーダンス特性をもつ素子を使用する。コネクタシェル３は導体である。そして基板４はコネクタシェル３に収納され、さらにコネクタシェル３が上ケース１と下ケース８とで形成される容器に収納されている。以上で構成される終端回路内蔵コネクタ１が通信局１８のリセプタクル１１に接続されると、図示しない基板４の端子と図示しない基板１３の端子が接触することにより、電極５ａ、５ｂおよび５ｃがそれぞれ通信局１８の電極１２ａと１２ｂおよび１２ｃに接続される。すなわち、第１の素子６の両端がパルストランス１４の２次巻線の両端に接続され、第２の素子７の一端がパルストランス１４の２次巻線の中間タップに接続される。
伝送ケーブル９は、１０ａ、１０ｂの伝送線と、１０ｃの伝送線シールドと、５の電極（５ａと５ｂとからなる）と、４の基板と、３のコネクタシェルと、２の上ケースと、８の下ケースとから構成されている。伝送線１０ａと１０ｂは電極５ａと５ｂとにそれぞれ接続され、電極５ａと５ｂは基板４に搭載されている。そして基板４はコネクタシェル３に収納されている。コネクタシェル３は導体であるため基板４によって電極５を絶縁している。伝送線シールド１０ｃはコネクタシェル３に接続されている。さらにコネクタシェル３が上ケース２と下ケース８とで形成される容器に収納されている。従って、伝送ケーブル９が、通信局１８のリセプタクル１１に接続されると、図示しない基板４の端子と図示しない基板１３の端子が接触することにより、電極５ａ、５ｂがそれぞれ通信局１８の電極１２ａと１２ｂに接続される。また、同時にコネクタシェル３がリセプタクル１１に接触する。すなわち、伝送線１０ａと１０ｂがパルストランス１４の２次巻線の両端に接続され、伝送線シールド１０ｃが２個所のリセプタクル１１に接続される。
【００１０】
次に、以上で説明した図１の構成の電気回路について、図２をつかって説明する。図２は図１の回路図を示している。図２の各部の符号は、図１と同等個所には同一符号を付けている。
図２が示すように、第１の素子６は、電極１２ａ、１２ｂを介して伝送線１０ａと１０ｂとの線間に接続されていることになるため、差動モードを終端させることができる。また第２の素子７の一端は、パルストランス１４の中間タップを経由して伝送線１０ａと１０ｂに並列に接続される。一方、第２の素子７の他端はコネクタシェル３に接続されており、２つのリセプタクル１１を介して伝送線シールド１０ｃと接続されるため、第２の素子７は伝送線１０ａ、１０ｂと伝送線シールド１０ｃの線間に接続されていることになり、共通モードを終端させることができる。
【００１１】
以上で説明した本発明の伝送回路を用いた通信形態が、特許文献１と異なる部分は、差動モードおよび共通モードの両方の終端が可能な終端回路を内部に実装し、終端の必要な通信局にのみ接続できるコネクタ構造としたことである。さらに、本発明が特許文献１と異なる部分は、差動モードの終端および共通モードの終端を行うために、従来３本以上の伝送線が必要であったところを、２本の伝送線に対して差動モードの終端を行い、共通モードの終端は伝送線のシールドを用いるようにすることで、伝送線の本数を削減した部分である。
【産業上の利用可能性】
【００１２】
本発明の伝送回路は、共通モードのノイズ（例えば、スイッチングノイズ）の多い環境であっても、共通モードの終端を行うことができ、共通モードのノイズを抑制することができるので、高信頼性が要求される通信システムに適用できる。
【図面の簡単な説明】
【００１３】
【図１】本発明の伝送回路を示した図
【図２】図１における回路図
【図３】従来の通信システムの構成図
【符号の説明】
【００１４】
１    終端回路内蔵コネクタ
３    コネクタシェル
６    第１の素子
７    第２の素子
９    伝送ケーブル
１０ａ、１０ｂ  伝送線
１０ｃ  伝送線シールド
１１    リセプタクル
１４    パルストランス
１５    ドライバ
１６    レシーバ
１７    送受信回路
１８    通信局
【図１】
2006186530.tif 000003
【図２】
2006186530.tif 000004
【図３】
2006186530.tif 000005